(57)【要約】【課題】構造的に安定し、カップが確実に保持されるマルチパックを提供する。【解決手段】底壁１、側壁２及び天壁３，４を連設して複数のカップＣを包み込むマルチパックにおいて、側壁２から底壁１及び天壁３，４の稜部にかけてテーパ状に傾斜した複数本の切目線５を入れ、隣り合う切目線５の間に各カップＣに対応した側板６を形成し、側板６と底壁１及び天壁３，４との稜線７，８を一定幅ずつ交互にずらし、この稜線７，８に沿った折り曲げに伴い、隣り合う側板６を交互に逆方向に傾斜させて、側板６の揺動を防止すると共に、カップＣの移動を抑制する。また、側板６にカップＣの大径側が嵌め込まれる嵌合穴９を設け、底壁１にカップＣの小径側に係合する切起片１１を設けて、カップＣを確実に固定する。【選択図】図４
2005219753.tif 000002
【特許請求の範囲】
【請求項１】
底壁、側壁及び天壁を連設して複数のカップを包み込むマルチパックにおいて、側壁から底壁及び天壁の稜部にかけてテーパ状に傾斜した複数本の切目線を入れ、隣り合う切目線の間に各カップに対応した側板を形成し、側板と底壁及び天壁との稜線を一定幅ずつ交互にずらし、この稜線に沿った折り曲げに伴い、隣り合う側板を交互に逆方向に傾斜させたことを特徴とするカップ包装用マルチパック。
【請求項２】
前記側板にカップの大径側が嵌め込まれる嵌合穴を設けたことを特徴とする請求項１に記載のカップ包装用マルチパック。
【請求項３】
前記嵌合穴の端縁に、底壁又は天壁から張り出す膨出部を設けたことを特徴とする請求項２に記載のカップ包装用マルチパック。
【請求項４】
前記底壁又は天壁に、カップの小径側に係合する切起片を設けたことを特徴とする請求項１乃至３のいずれかに記載のカップ包装用マルチパック。
【発明の詳細な説明】
【技術分野】
【０００１】
この発明は、複数個のカップ容器を纏めて包装するマルチパックに関するものである。
【背景技術】
【０００２】
一般に、カップ入りの食品を製造工場から小売店へ配送する際には、複数個のカップを纏めて段ボール製のマルチパックで包装する。このマルチパックには、底壁、側壁及び天壁を順次連設し、カップを包み込むように折り曲げて、両側壁を直立させ、四角筒状のスリーブとしたものが使用されている。
【発明の開示】
【発明が解決しようとする課題】
【０００３】
しかしながら、上記のようなマルチパックでは、両側壁が揺動しやすく、形状が不安定となり、強い外力が作用すると、カップが側壁で押圧されて変形する恐れがある。また、両端の開口面からカップが飛び出しやすいという問題もある。
【０００４】
そこで、この発明は、構造的に安定し、カップが確実に保持されるマルチパックを提供しようとするものである。
【課題を解決するための手段】
【０００５】
上記のような課題を解決するため、この発明は、底壁、側壁及び天壁を連設して複数のカップを包み込むマルチパックにおいて、側壁から底壁及び天壁の稜部にかけてテーパ状に傾斜した複数本の切目線を入れ、隣り合う切目線の間に各カップに対応した側板を形成し、側板と底壁及び天壁との稜線を一定幅ずつ交互にずらし、この稜線に沿った折り曲げに伴い、隣り合う側板を交互に逆方向に傾斜させたのである。
【０００６】
また、前記側板にカップの大径側が嵌め込まれる嵌合穴を設け、さらに、前記嵌合穴の端縁に、底壁又は天壁から張り出す膨出部を設けたのである。そのほか、前記底壁又は天壁に、カップの小径側に係合する切起片を設けたのである。
【発明の効果】
【０００７】
上記のように、側壁に複数本の切目線を入れ、隣り合う切目線間に各カップに対応する側板を形成し、これらの側板を交互に逆方向に傾斜させると、側板の揺動が抑制されて、構造が堅固になると共に、カップの移動が抑制され、両端開口面からのカップの飛び出しが防止される。
【０００８】
また、前記側板にカップの大径側が嵌め込まれる嵌合穴を設けると、カップが大径側で確実に固定され、さらに、前記嵌合穴の端縁に、底壁又は天壁から張り出す膨出部を設けると、嵌合穴から突出したカップのフランジ部分が保護される。
【０００９】
そのほか、前記底壁又は天壁に、カップの小径側に係合する切起片を設けると、カップが小径側でも確実に固定され、カップのがたつきが防止される。
【発明を実施するための最良の形態】
【００１０】
以下、この発明の実施形態を添付図面に基づいて説明する。
【００１１】
図１に示すように、このマルチパックのブランクでは、底壁１の両側に側壁２が連設され、一方の側壁２には長い天壁３が、他方の側壁２には短い天壁４がそれぞれ連設されている。各側壁２には、底壁１及び天壁３，４の稜部にかけて、テーパ状に傾斜した２本の切目線５が入れられ、隣り合う切目線５の間に各カップに対応した側板６が形成されている。これらの側板６と底壁１及び天壁３，４との境界には、押罫から成る稜線７，８が入れられ、この稜線７，８は、側板６ごとに一定幅ずつ交互にずらされている。
【００１２】
また、各側板６には、カップの大径側が嵌め込まれる三角状の嵌合穴９が設けられ、さらに、各嵌合穴９の端縁には、底壁１又は天壁３，４から張り出す弧状の膨出部１０が設けられている。そのほか、底壁１には、カップの小径側に係合する先広がりの切起片１１が内向きの切込により設けられている。
【００１３】
このようなブランクを組み立てて、６個のカップ入り食品を包装する際には、図２に示すように、底壁１上に６個のカップＣを３個ずつ２列に並べる。このとき、両側のカップＣは正立させ、中間のカップＣは、上下を反転させて伏せておく。
【００１４】
次に、図３に示すように、底壁１から一対の側壁２及び天壁３，４を稜線７，８に沿ってカップＣを包み込むように折り曲げ、図４に示すように、天壁４に天壁３を重ねて貼り合わせる。そして、切起片１１を底面側から押し込んで起立させ、端面開口側から折目の反発によりカップＣの小径側に係合させる。
【００１５】
上記のようにカップＣを包装すると、隣り合う側板６が交互に逆方向に傾斜するので、側板６の揺動が抑制されて、構造が堅固になると共に、カップＣの移動が抑制され、両端開口面からのカップＣの飛び出しが防止される。
【００１６】
また、側板６の嵌合穴９にカップＣの大径側が嵌め込まれて、カップＣが大径側で確実に固定されると共に、切起片１１の係合によりカップＣが小径側でも確実に固定されるので、カップＣのがたつきが防止される。
【００１７】
そのほか、嵌合穴９の端縁に、底壁１又は天壁３，４から張り出す膨出部１０を設けているので、嵌合穴９から突出したカップＣのフランジ部分が保護される。
【００１８】
さらに、このマルチパックでは、カップＣを上下交互に向きを変えて隙間なく収納しているので、外径寸法が小さくなり、包装材料の消費量を削減できるほか、輸送時のスペース効率が向上し、物流コストを抑制することができる。
【００１９】
なお、商品の性質上、カップＣを上下反転させられない場合には、中間の側板６の幅をやや広げて、全てのカップＣを正立状態で包装できるようにしてもよい。
【００２０】
また、底壁１の一対の辺だけでなく、他対の辺にも側壁２及び天壁３，４を連設し、縦横両方向に３個以上のカップＣを配列できるようにしてもよい。
【図面の簡単な説明】
【００２１】
【図１】この発明の実施形態に係るマルチパックのブランクを示す図
【図２】同上のカップ載置状態を示す斜視図
【図３】同上のカップ包込過程を示す斜視図
【図４】同上のカップ包装状態を示す斜視図
【符号の説明】
【００２２】
１  底壁
２  側壁
３，４  天壁
５  切目線
６  側板
７，８  稜線
９  嵌合穴
１０  膨出部
１１  切起片
【図１】
2005219753.tif 000003
【図２】
2005219753.tif 000004
【図３】
2005219753.tif 000005
【図４】
2005219753.tif 000006